(57)【要約】【課題】  施術及びそれに関わる作業を効率的に行うことができ、かつ、衛生管理を確実に実行することのできる内視鏡用カート及び内視鏡システムを提供する。【解決手段】  内視鏡に接続される機器、及びこの機器に接続される周辺機器が搭載される複数の棚板と、複数の棚板を支持する本体枠部と、を備え、複数の棚板において、本体枠部の背面側の端面に、機器及び周辺機器から延出するケーブルを係止可能なケーブル取付部が設けられている。【選択図】  図２
2006136463.tif 000002
【特許請求の範囲】
【請求項１】
内視鏡に接続される機器、及びこの機器に接続される周辺機器が搭載される複数の棚板と、
前記複数の棚板を支持する本体枠部と、を備え、
前記複数の棚板において、前記本体枠部の背面側の端面に、
前記機器及び周辺機器から延出するケーブルを係止可能なケーブル取付部が設けられていることを特徴とする内視鏡用カート。
【請求項２】
前記ケーブル取付部は長板状部材であって、その長手方向の両端部は、前記複数の棚板のうちの別個の棚板にそれぞれ保持される請求項１記載の内視鏡用カート。
【請求項３】
内視鏡に接続される機器、及びこの機器に接続される周辺機器が搭載される複数の棚板と、
前記複数の棚板を支持する本体枠部と、を備え、
前記本体枠部には、
前記内視鏡を保持するホルダー部と、
前記ホルダー部に対向するように配置され、内蔵した磁性部材により前記内視鏡の先端硬性部を吸引保持する吸引保持部と、
が設けられていることを特徴とする内視鏡用カート。
【請求項４】
前記吸引保持部に内蔵された磁性部材は強磁性体からなる磁石であり、前記磁石が発生する磁力によって前記先端硬性部を吸引保持する請求項３記載の内視鏡用カート。
【請求項５】
内視鏡と、
前記内視鏡に接続される機器、及びこの機器に接続される周辺機器が搭載される複数の棚板、及び、
前記複数の棚板を支持する本体枠部、を有する内視鏡用カートと、を備え、
前記複数の棚板においては、前記本体枠部の背面側の端面に、
前記機器及び周辺機器から延出するケーブルを係止可能なケーブル取付部が設けられていることを特徴とする内視鏡システム。
【請求項６】
内視鏡と、
内視鏡に接続される機器、及びこの機器に接続される周辺機器が搭載される複数の棚板、及び
前記複数の棚板を支持する本体枠部、を有する内視鏡用カートと、を備え、
前記本体枠部には、
前記内視鏡を保持するホルダー部と、
前記ホルダー部に対向するように配置され、内蔵した磁性部材により前記内視鏡の先端硬性部を吸引保持する吸引保持部と、
が設けられていることを特徴とする内視鏡システム。
【発明の詳細な説明】
【技術分野】
【０００１】
本発明は、内視鏡を保持し、内視鏡に接続される機器及びこれらに接続される周辺機器が搭載される内視鏡用カート、及び、この内視鏡用カートを備えた内視鏡システムに関する。
【背景技術】
【０００２】
内視鏡、内視鏡に接続される機器、及び、これらに接続される周辺機器を効率良く収納し、かつ、内視鏡を用いた施術を効率的に行うために内視鏡用カートが用いられている。この内視鏡用カートでは、本体枠部に固定された把持部に、内視鏡の一部（例えば操作部）を把持させることにより内視鏡を保持するとともに、鉛直方向において互いに平行に配置した棚板上に機器を載置していた。
【特許文献１】特開平１０−２５８０１７号公報
【発明の開示】
【発明が解決しようとする課題】
【０００３】
上述の内視鏡用カート及び内視鏡システムにおいては、患者体内に挿入される挿入部に触れることなく、内視鏡の操作部のみを把持させればすむため、容易に内視鏡用カートに保持させることができる。しかしながら、挿入部が保持されていないため、本体枠部、棚板、及び棚板上の機器に挿入部が接触することがあり、施術後の挿入部が接触した場合は衛生上好ましくないことはもちろん、挿入物に付着した液体等により機器の故障を招くおそれがある。
【０００４】
これに対して、内視鏡の挿入部を保持するための保持部材をさらに本体枠部に設けることもできる。しかしながら、内視鏡には多数の種類があって、この種類によって挿入部の外径、長さが異なり、このような挿入部のバリエーションに対応して多数の保持部材を用意することはコストの上昇や保持部材の交換の手間を要するため好ましくない。
【０００５】
一方、棚板に載置された機器のそれぞれからはケーブルが延出している。このケーブルは、それぞれの機器から１又は２以上延出しているため、その総数は非常に多数に上る。このため互いに絡みやすくなっており、機器の追加、廃棄及び交換にともなう再配線において、接続先の確認が困難となることにより作業に多くの時間を要し、施術中に配線変更の必要が生じた場合には迅速な処理ができないために施術の成否に大きな影響を与えるおそれがある。
【０００６】
さらに、ケーブルの長さによっては床に接触してしまう場合がある。挿入部と接触する可能性のあるケーブルが、床に接触することにより汚染されていることは衛生上好ましくない。さらに、内視鏡用カートの移動時に、長いケーブルが、本体枠部の下部に装着されたキャスタに絡みついて、内視鏡用カートの移動を妨げてしまうおそれがある。
【０００７】
以上のように、従来の内視鏡用カート及び内視鏡システムにおいては、内視鏡が操作部のみで保持されていること、及び、棚板に載置された機器から延出したケーブルを放置していること、により、施術及びそれに関わる作業の効率を低下させ、かつ、衛生管理が不十分となるという問題があった。
【課題を解決するための手段】
【０００８】
上記課題を解決するために、本発明の内視鏡用カートにおいては、内視鏡に接続される機器、及びこの機器に接続される周辺機器が搭載される複数の棚板と、複数の棚板を支持する本体枠部と、を備え、複数の棚板において、本体枠部の背面側の端面に、機器及び周辺機器から延出するケーブルを係止可能なケーブル取付部が設けられていることを特徴としている。
【０００９】
上記ケーブル取付部は長板状部材であって、その長手方向の両端部は、複数の棚板のうちの別個の棚板にそれぞれ保持されることが好ましい。
【００１０】
本発明の内視鏡用カートは、内視鏡に接続される機器、及びこの機器に接続される周辺機器が搭載される複数の棚板と、複数の棚板を支持する本体枠部と、を備え、本体枠部には、内視鏡を保持するホルダー部と、ホルダー部に対向するように配置され、内蔵した磁性部材により内視鏡の先端硬性部を吸引保持する吸引保持部と、が設けられていることを特徴としている。
【００１１】
上記吸引保持部に内蔵された磁性部材は強磁性体からなる磁石とすることができ、磁石が発生する磁力によって先端硬性部を吸引保持することができる。
【００１２】
本発明の内視鏡システムは、内視鏡と、内視鏡に接続される機器、及びこの機器に接続される周辺機器が搭載される複数の棚板、及び、複数の棚板を支持する本体枠部、を有する内視鏡用カートと、を備え、複数の棚板においては、本体枠部の背面側の端面に、機器及び周辺機器から延出するケーブルを係止可能なケーブル取付部が設けられていることを特徴としている。
【００１３】
本発明の内視鏡システムは、内視鏡と、内視鏡に接続される機器、及びこの機器に接続される周辺機器が搭載される複数の棚板、及び複数の棚板を支持する本体枠部、を有する内視鏡用カートと、を備え、本体枠部には、内視鏡を保持するホルダー部と、ホルダー部に対向するように配置され、内蔵した磁性部材により内視鏡の先端硬性部を吸引保持する吸引保持部と、が設けられていることを特徴としている。
【発明の効果】
【００１４】
本発明によると、ケーブル取付部及び吸引保持部を設けたことにより、施術及びそれに関わる作業を効率的に行うことができ、かつ、衛生管理を確実に実行することができる。
【発明を実施するための最良の形態】
【００１５】
以下、本発明にかかる実施形態を図面を参照しつつ詳しく説明する。
図１〜図３に示すように、本実施形態に係る内視鏡用カートは、本体枠部１０と、本体枠部１０に支持された棚板２１〜２４と、本体枠部１０に支持された吸引保持部５０と、棚板２１〜２４に支持されたケーブル取付部６１、６２と、を有する。この内視鏡用カートと内視鏡８０とで本発明に係る内視鏡システムが構成される。
【００１６】
本体枠部１０は、略コの字状のフレーム１１とフレーム１２を互いに対向するように配置してなる。これらフレーム１１とフレーム１２との間には、鉛直方向（図１の上下方向）上から順に、同一平板形状の４枚の棚板２１〜２４が互いに平行に配置されている。棚板２１、棚板２２、棚板２３、及び棚板２４は、フレーム１１及びフレーム１２に両側面を溶接固定されており、フレーム１１とフレーム１２との間隔を規定している。棚板の枚数は任意であって、フレーム１１とフレーム１２との間隔を規定する少なくとも２枚の棚板以外はこれらより小さな異なる形状とすることができ、前後方向（図２の紙面の奥行き方向）に移動可能に構成してもよい。本体枠部１０は、フレーム１１とフレーム１２それぞれの下部に装着されたキャスタ１８、１９によって移動可能とされている。なお、本発明のフレーム１１、フレーム１２、キャスタ１８、１９の形態は本実施形態に限られず、その数も任意に設定することができる。
【００１７】
このような構成の本体枠部１０では、例えば図２、図３に示すように、棚板２１上にモニタ３１、棚板２２上にプロセッサ装置３２、棚板２４上にプリンタ３３を配置し、棚板２４の下面に電源装置３４をねじ止め固定し、内視鏡を用いた施術又は収納の用に供することができる。すなわち、棚板２１〜２４には、内視鏡に接続される機器、及びこれら機器に接続される機器が搭載される。
【００１８】
フレーム１２の上面１２ａには、鉛直方向に上下動自在の支持部４１と、この支持部４１の上面４１ａに固定され、フレーム１２から離れるように水平方向に延びる保持部４２と、を備えるホルダー部４０が設けられている。保持部４２には、図２（ｂ）に示すように、内視鏡８０の挿入部８２の外径より大きく、かつ操作部８１の外形寸法より小さな内径を有する保持孔部４２ａが鉛直方向に沿って穿設されている。この保持孔部４２ａは、その一部が保持部４２の側面４２ｂに向けて開いた導入部４２ｃに続いている。内視鏡８０は、挿入部８２を導入部４２ｃから保持孔部４２ａ内に挿入し、操作部８１を保持部４２に当接させることにより支持される。ホルダー部４０は、例えば、支持部４１の外面に雄ねじを設け、フレーム１２内に設けられた雌ねじと支持部４１とを螺合することにより、鉛直方向に上下動可能である。この構成により、内視鏡８０の長さに応じた高さにすることができる。ホルダー部４０は、内視鏡８０の操作部８１を支持する形態であれば、フレーム１１の上面、フレーム１１の側面、フレーム１２の側面のいずれに設けてもよいし、保持部４２をフレーム１１又はフレーム１２に直接固定してもよい。
【００１９】
フレーム１２の側面１２ｂには、フレーム１２から離れるように水平方向に延びる支持部５１の先端に吸引本体５２を固定してなる吸引保持部５０が設けられている。吸引本体５２は、内部に磁石（磁性部材）５３をあらかじめ内蔵してあり、保持孔部４２ａの鉛直下方に配置してある。磁石５３は強磁性体であることが好ましく、例えば、純鉄、鉄合金、プラチナマグネット、希土類磁石、テルビウム・ディスプロシウム・鉄合金を用いることができる。なお、磁石５３に代えて電磁石を用いることもできる。また、吸引本体５２内における磁石５３の位置は任意であり、その大きさ、形状、数、材料も任意に設定できる。
【００２０】
これに対して、ホルダー部４０に保持された内視鏡８０の先端硬性部８２ａには、図４に示す円筒状弾性部材からなるキャップ８５が被せられる。キャップ８５の内部には、先端硬性部８２ａの外径と同一の内径を有する保持孔部８６がキャップ８５と同心状に穿設されている。この保持孔部８６内に先端硬性部８２ａを押入することにより、先端硬性部８２ａ先端にキャップ８５を保持させることができる。このキャップ８５は内視鏡８０の使用時には外される。
【００２１】
キャップ８５内には、磁石（磁性部材）８７が内蔵されている。この磁石８７は、内視鏡８０がホルダー部４０に保持され、鉛直方向に沿って延びた挿入部８２の先端硬性部８２ａにキャップ８５を被せたときに、磁石５３に対向するように配置されている。磁石８７及び磁石５３の磁極は、互いに吸引されるように配置されている。例えば、磁石８７の磁石５３に対向する面側にＮ極を配置した場合は、磁石５３の磁石８７に対向する面側にＳ極を配置すると、磁石８７と磁石５３とが互いに吸引し合う。これにより、挿入部８２が鉛直方向に沿って延びた状態が維持される。
【００２２】
磁石８７は強磁性体であることが好ましく、例えば、純鉄、鉄合金、プラチナマグネット、希土類磁石、テルビウム・ディスプロシウム・鉄合金を用いることができる。また、磁石８７のキャップ８５内における位置は任意であり、その大きさ、形状、数、材料も任意に設定できる。
【００２３】
また、キャップ８５を用いずに、先端硬性部８２ａに磁石を内蔵させても良い。さらに、先端硬性部８２ａに、磁化はされていないが磁石５３の磁力により吸引可能な材料を用いれば、先端硬性部８２ａに内蔵された機器を磁界にさらす機会を少なくすることができるため、これらの機器の誤動作を防止することができて好ましい。これらのようにキャップ８５を用いない場合は、フレーム１２の上面１２ａからの支持部４１の延出長さを調整することにより、吸引本体５２の汚染防止のために、先端硬性部８２ａと吸引本体５２との間に間隙を設けることが好ましい。
【００２４】
以上の構成により、内視鏡８０を容易に内視鏡用カートに保持させることができるだけでなく、内視鏡の種類によらず、本体枠部、棚板、及び棚板上の機器に接触しないように挿入部の姿勢を維持することができるため、挿入物に付着した液体等により機器の故障を招くおそれを低減させることができる。これにより、施術及びそれに関わる作業を効率的に行うことができ、かつ、衛生管理を確実に実行することができる。
【００２５】
つづいて、ケーブル取付部６１、６２について説明する。図３に示すように、ケーブル取付部６１、６２は、棚板２１〜２４の本体枠部背面側の端面２１ａ、２２ａ、２３ａ、２４ａに設けられている。ケーブル取付部６１、６２は長板状部材（図６）であって、それぞれの長手方向の両端部は、棚板２１〜２４の背面側端面２１ａ、２２ａ、２３ａ、２４ａのそれぞれに等間隔に穿設された複数のねじ孔２１ｂ、２２ｂ、２３ｂ、２４ｂのいずれかにねじ止め固定される。例えば、図３に示すように、ケーブル取付部６１の一方の端部に螺入したねじ６１ａを棚板２１のねじ孔２１ｂに、他方の端部に螺入したねじ６１ｂを棚板２２のねじ孔２２ｂに、それぞれ螺合することによりケーブル取付部６１を棚板２１及び棚板２２に固定することができる。一方、ケーブル取付部６２の一方の端部に螺入したねじ６２ａを棚板２３のねじ孔２３ｂに、他方の端部に螺入したねじ６２ｂを棚板２４のねじ孔２４ｂに、それぞれ螺合することにより、ケーブル取付部６２を棚板２３及び棚板２４に固定することができる。なお、ケーブル取付部６１、６２の形状及び棚板２１〜２４への配置は任意に行うことができる。また、ケーブル取付部の数は３以上であってもよい。
【００２６】
ケーブル取付部６１には、棚板２１〜２４に固定したときに本体枠部１０の背面側に突出するケーブル掛止部６１ｃ、６１ｄが設けられている。このケーブル掛止部６１ｃ、６１ｄでは、その先端が、ケーブル取付部６１の長手方向端部に向けて屈曲している。同様に、ケーブル取付部６２には、棚板２１〜２４に固定したときに本体枠部１０の背面側に突出するケーブル掛止部６２ｃ、６２ｄが設けられ、これらの先端は、ケーブル取付部６２の長手方向端部に向けて屈曲している。
【００２７】
モニタ３１、プロセッサ装置３２、プリンタ３３、及び電源装置３４の背面から延出するケーブルをこれらケーブル取付部６１、６２のケーブル掛止部６１ｃ、６１ｄ、６２ｃ、６２ｄに掛け止めると、ケーブルが互いに絡むことが少なくなり、機器の追加や廃棄にともなう再配線を迅速に行うことができる。さらに、ケーブルが長い場合であっても、ケーブル掛止部６１ｃ、６１ｄ、６２ｃ、６２ｄに複数回巻き付ければ床に接触することなく保持することができるため、衛生上好ましく、内視鏡用カートの移動時にキャスタや本体枠部１０に絡みついて、内視鏡用カートの移動を妨げるおそれがない。これらにより、施術及びそれに関わる作業を効率的に行うことができ、かつ、衛生管理を確実に実行することができる。
【００２８】
本発明について上記実施形態を参照しつつ説明したが、本発明は上記実施形態に限定されるものではなく、改良の目的または本発明の思想の範囲内において改良または変更が可能である。
【図面の簡単な説明】
【００２９】
【図１】本発明の実施形態に係る内視鏡用カートの構成を示す斜視図である。
【図２】（ａ）は本発明の実施形態に係る内視鏡システムの構成を示す正面図、（ｂ）はホルダー部の構成を示す平面図である。
【図３】本発明の実施形態に係る内視鏡システムの構成を示す背面図である。
【図４】本発明の実施形態に係る内視鏡の先端硬性部とキャップの構成を示す斜視図である。
【図５】本発明の実施形態に係るキャップを装着した内視鏡の先端硬性部と吸引保持部の配置を示した側面図である。
【図６】（ａ）は本発明の実施形態に係るケーブル取付部の構成を示す側面図、（ｂ）はケーブル取付部の構成を示す平面図である。
【符号の説明】
【００３０】
１０    本体枠部
１１    フレーム
１２    フレーム
２１    棚板
２２    棚板
２３    棚板
２４    棚板
４０    ホルダー部
５０    吸引保持部
６１    ケーブル取付部
６２    ケーブル取付部
８０    内視鏡
８５    キャップ
【図１】
2006136463.tif 000003
【図２】
2006136463.tif 000004
【図３】
2006136463.tif 000005
【図４】
2006136463.tif 000006
【図５】
2006136463.tif 000007
【図６】
2006136463.tif 000008